(57)【要約】  無線基地局は、無線通信部により、複数種類の無線チャネルのいずれかを用いて配下の端末と無線通信を行い、分析部により、配下の端末によって利用される無線チャネルの利用状況の分析を行い、制御部により、分析部における分析結果に応じて端末に対して配信する情報を制御する。端末は、無線通信部により、複数種類の無線チャネルのいずれかを用いて無線基地局と無線通信を行い、出力部により、無線基地局との間で利用される無線チャネルの種類に応じて無線基地局から配信される情報を出力する。無線基地局から配信される情報を報知装置に出力してもよい。
2010079591.tif 000002
【特許請求の範囲】
【請求項１】
複数種類の無線チャネルのいずれかを用いて配下の端末と無線通信を行う無線通信部と、
該配下の端末によって利用される無線チャネルの利用状況の分析を行う分析部と、
該分析部における分析結果に応じて該端末に対して配信する情報を制御する制御部と、
を備えたことを特徴とする無線基地局。
【請求項２】
前記情報を、前記端末のユーザに関する情報と関連付けて格納する第１データベース、
をさらに備えたことを特徴とする請求項１に記載の無線基地局。
【請求項３】
前記端末のユーザに関する情報を、前記無線チャネルの利用状況と関連付けて格納する第２データベース、
をさらに備えたことを特徴とする請求項２に記載の無線基地局。
【請求項４】
前記制御部により制御された前記情報を前記端末へ配信する配信部、
をさらに備えたことを特徴とする請求項１に記載の無線基地局。
【請求項５】
前記配信部により配信される前記情報をネットワークへ出力するインタフェース部、
をさらに備えたことを特徴とする請求項４に記載の無線基地局。
【請求項６】
複数種類の無線チャネルのいずれかを用いて無線基地局と無線通信を行う無線通信部と、
該無線基地局との間で利用される無線チャネルの種類に応じて該無線基地局から配信される情報を出力する出力部と、
を備えたことを特徴とする端末。
【請求項７】
無線基地局と配下の端末との間で複数種類の無線チャネルのいずれかを用いて無線通信を行う無線通信システムにおいて、
該無線基地局は、該配下の端末によって利用される無線チャネルの利用状況を分析し、該分析結果に応じて該端末に対して情報を配信し、
該端末は、該無線基地局との間で利用される無線チャネルの種類に応じて該無線基地局から配信される情報を出力することを特徴とする無線通信システム。
【請求項８】
前記無線基地局は、前記無線チャネルの利用状況と前記端末のユーザに関する情報とを関連付けた情報を無線通信事業者へ送信することを特徴とする請求項７に記載の無線通信システム。
【請求項９】
前記無線基地局が有する前記情報を、情報提供者が有する情報で更新することを特徴とする請求項７に記載の無線通信システム。
【請求項１０】
無線基地局と配下の端末との間で複数種類の無線チャネルのいずれかを用いて無線通信を行う無線通信システムにおいて、
該無線基地局は、該配下の端末によって利用される無線チャネルの利用状況を分析し、該分析結果に応じて、不特定の対象に対して情報を報知する報知装置に対して情報を配信し、
該報知装置は、該無線基地局から配信される情報を出力することを特徴とする無線通信システム。
【請求項１１】
前記無線基地局は、前記無線チャネルの利用状況と前記端末のユーザに関する情報とを関連付けた情報を無線通信事業者へ送信することを特徴とする請求項１０に記載の無線通信システム。
【請求項１２】
前記無線基地局が有する前記情報を、情報提供者が有する情報で更新することを特徴とする請求項１０に記載の無線通信システム。
【請求項１３】
無線基地局と配下の端末との間で複数種類の無線チャネルのいずれかを用いて無線通信を行う無線通信方法において、
該端末によって利用される無線チャネルの利用状況を該無線基地局で分析する第１ステップと、
該第１ステップにおける分析結果に応じて該無線基地局から該端末へ情報を配信する第２ステップと、
該第２ステップで配信された情報を該端末に出力する第３ステップと、
を含むことを特徴とする無線通信方法。
【請求項１４】
前記無線基地局から無線通信事業者へ、前記無線チャネルの利用状況と前記端末のユーザに関する情報とを関連付けた情報を送信する第４ステップ、
をさらに含むことを特徴とする請求項１３に記載の無線通信方法。
【請求項１５】
前記無線基地局が有する前記情報を、情報提供者が有する情報で更新する第５ステップ、
をさらに含むことを特徴とする請求項１３に記載の無線通信方法。
【請求項１６】
無線基地局と配下の端末との間で複数種類の無線チャネルのいずれかを用いて無線通信を行う無線通信方法において、
該端末によって利用される無線チャネルの利用状況を該無線基地局で分析する第１ステップと、
該無線基地局から、不特定の対象に対して情報を報知する報知装置へ、該第１ステップにおける分析結果に応じて情報を配信する第２ステップと、
該第２ステップで配信された情報を該報知装置に出力する第３ステップと、
を含むことを特徴とする無線通信方法。
【請求項１７】
前記無線基地局から無線通信事業者へ、前記無線チャネルの利用状況と前記端末のユーザに関する情報とを関連付けた情報を送信する第４ステップ、
をさらに含むことを特徴とする請求項１６に記載の無線通信方法。
【請求項１８】
前記無線基地局が有する前記情報を、情報提供者が有する情報で更新する第５ステップ、
をさらに含むことを特徴とする請求項１６に記載の無線通信方法。
【発明の詳細な説明】
【技術分野】
【０００１】
この発明は、無線基地局、端末、無線通信システムおよび無線通信方法に関する。
【背景技術】
【０００２】
従来、赤外線通信もしくはＩＣカードを用いた通信にて、ユーザ認証データ、端末情報、暗号化情報を受信し、これら受信した情報に基づいて超小型無線基地局に対して位置登録要求を行い、携帯端末と超小型無線基地局装置との間における通信を制御する無線通信システムが知られている（例えば、特許文献１参照。）。【０００３】
【特許文献１】国際公開第２００５／０９６６５６号パンフレット
【発明の開示】
【発明が解決しようとする課題】
【０００４】
しかしながら、従来の無線通信システムでは、無線基地局は、配下の端末のユーザに、ユーザごとに適した情報を配信することができなかった。【０００５】
無線基地局から配下の端末のユーザに適した情報を配信することができる無線基地局、端末、無線通信システムおよび無線通信方法を提供することを目的とする。
【課題を解決するための手段】
【０００６】
無線基地局は、無線通信部、分析部および制御部を備えている。無線通信部は、複数種類の無線チャネルのいずれかを用いて配下の端末と無線通信を行う。分析部は、配下の端末によって利用される無線チャネルの利用状況の分析を行う。制御部は、分析部における分析結果に応じて端末に対して配信する情報を制御する。端末は、無線通信部および出力部を備えている。無線通信部は、複数種類の無線チャネルのいずれかを用いて無線基地局と無線通信を行う。出力部は、無線基地局との間で利用される無線チャネルの種類に応じて無線基地局から配信される情報を出力する。
【発明の効果】
【０００７】
無線基地局から配下の端末のユーザに適した情報を配信することができるという効果を奏する。
【図面の簡単な説明】
【０００８】
【図１】図１は、第１実施例の無線通信システムの構成を示す説明図である。
【図２】図２は、第１実施例の無線通信システムの動作を示す説明図である。
【図３】図３は、第２実施例の無線通信システムの構成を示す説明図である。
【図４】図４は、第３実施例の無線通信システムの構成を示す説明図である。
【図５】図５は、第４実施例の無線通信システムの構成を示す説明図である。
【図６】図６は、第５実施例の無線基地局の構成を示す説明図である。
【図７】図７は、通信状態の一例を示す説明図である。
【図８】図８は、無線基地局の格納部に格納される情報の一例を示す説明図である。
【図９】図９は、利用状況のデータベースに格納される情報の一例を示す説明図である。
【図１０】図１０は、広告のデータベースに格納される情報の一例を示す説明図である。
【図１１】図１１は、第５実施例の端末の構成を示す説明図である。
【図１２】図１２は、第５実施例の表示機器の構成を示す説明図である。
【図１３】図１３は、第５実施例の移動体通信事業者の装置の構成を示す説明図である。
【図１４】図１４は、加入者のデータベースに格納される情報の一例を示す説明図である。
【図１５】図１５は、第５実施例の広告配信業者の装置の構成を示す説明図である。
【図１６】図１６は、第５実施例のルータの構成を示す説明図である。
【図１７】図１７は、第５実施例において広告を端末へ配信する動作を示す説明図である。
【図１８】図１８は、端末の表示例を示す説明図である。
【図１９】図１９は、第５実施例において無線チャネルの状態の解析および利用状況のデータベースへの書き込み処理を示す説明図である。
【図２０】図２０は、ユーザの無線チャネルの利用状況を分析した結果の一例を示す説明図である。
【図２１】図２１は、分析結果を書き込んだ後の利用状況のデータベースの一例を示す説明図である。
【図２２】図２２は、配信部に指示される情報の一例を示す説明図である。
【図２３】図２３は、第５実施例において広告のデータベースから広告を検索する処理を示す説明図である。
【図２４】図２４は、図２３の続きを示す図である。
【図２５】図２５は、無線制御部に指示される情報の一例を示す説明図である。
【図２６】図２６は、第５実施例において広告を表示機器へ配信する動作を示す説明図である。
【図２７】図２７は、配信部に送信される情報の一例を示す説明図である。
【図２８】図２８は、各ユーザに対して表示する広告を選択した例を示す説明図である。
【図２９】図２９は、表示機器の受信部に送信される情報の一例を示す説明図である。
【図３０】図３０は、表示機器の表示例を示す説明図である。
【図３１】図３１は、第５実施例において利用状況のデータベースを更新する動作を示す説明図である。
【図３２】図３２は、第５実施例において利用状況のデータベースを更新する処理を示す説明図である。
【図３３】図３３は、更新後の利用状況のデータベースの一例を示す説明図である。
【図３４】図３４は、第５実施例において広告のデータベースを配信する動作を示す説明図である。
【図３５】図３５は、ターゲットの情報が付与されていない広告のデータベースの一例を示す説明図である。
【符号の説明】
【０００９】
１，２１  無線基地局
２，４１  端末
３，６  無線通信部
４  分析部
５  制御部
７  出力部
２５  第１データベース
２８  第２データベース
２６  配信部
２２  ＬＡＮインタフェース部
【発明を実施するための最良の形態】
【００１０】
以下に、この発明にかかる無線基地局、端末、無線通信システムおよび無線通信方法の実施例を図面に基づいて詳細に説明する。なお、この実施例によりこの発明が限定されるものではない。【００１１】
（第１実施例）
・無線通信システムの構成
図１は、第１実施例の無線通信システムの構成を示す説明図である。図１に示すように、無線通信システムは、無線基地局１および１個以上の端末２を備えている。無線基地局１は、無線通信部３、分析部４および制御部５を備えている。無線通信部３は、複数種類の無線チャネルのいずれかを用いて配下の端末２と無線通信を行う。無線チャネルは、端末２のユーザによる、例えば動画の閲覧やウェブブラウジングや静止画の閲覧などの通信内容に基づいて選択される。分析部４は、配下の端末２によって利用される無線チャネルの利用状況の分析を行う。制御部５は、分析部４における分析結果に応じて端末２に対して配信する情報を制御する。端末２は、無線通信部６および出力部７を備えている。無線通信部６は、複数種類の無線チャネルのいずれかを用いて無線基地局１と無線通信を行う。出力部７は、無線基地局１との間で利用される無線チャネルの種類に応じて無線基地局１から配信される情報を出力する。【００１２】
・無線通信システムの動作
図２は、第１実施例の無線通信システムの動作を示す説明図である。図２に示すように、無線基地局１と配下の端末２との間で複数種類の無線チャネルのいずれかを用いて無線通信を行っているときに、無線基地局１は、分析部４により、端末２によって利用される無線チャネルの利用状況を分析する（ステップＳ１）。そして、無線基地局１は、無線チャネルの利用状況の分析結果に応じて端末２へ情報を配信する（ステップＳ２）。端末２は、無線基地局１から配信された情報を出力する（ステップＳ３）。第１実施例によれば、無線基地局１が、端末２によって利用されている無線チャネルに応じて端末２に対して情報を配信するので、無線基地局１から端末２のユーザに適した情報を配信することができる。【００１３】
（第２実施例）
図３は、第２実施例の無線通信システムの構成を示す説明図である。図３に示すように、無線通信システムは、前記第１実施例において、報知装置８をさらに備えている。第２実施例では、無線基地局１と端末２との間の無線チャネルの利用状況に応じて無線基地局１から配信される情報は、例えばルータ９を介して、報知装置８へ配信される。報知装置８は、無線基地局１から配信される情報を出力する。端末２の出力部７および報知装置８の両方に、無線基地局１から配信される情報が出力されてもよい。第２実施例によれば、無線基地局１が、端末２によって利用されている無線チャネルに応じて報知装置８へ情報を配信するので、無線基地局１から、無線基地局１の周囲にいる複数のユーザに適した情報を配信することができる。【００１４】
（第３実施例）
図４は、第３実施例の無線通信システムの構成を示す説明図である。図４に示すように、無線通信システムは、前記第１実施例において、無線基地局１は、無線通信事業者１０へ、無線チャネルの利用状況と端末２のユーザに関する情報とを関連付けた情報を送信する。無線基地局１と無線通信事業者１０との間では、例えばルータ９およびインターネット１１を経由して、情報の送受信が行われる。また、無線通信事業者１０は、インターネット１２や、公衆回線や他の通信網１３に接続されている。第３実施例によれば、無線通信事業者１０は、無線チャネルの利用状況と端末２のユーザに関する情報とを関連付けた情報を取得することができる。【００１５】
（第４実施例）
図５は、第４実施例の無線通信システムの構成を示す説明図である。図５に示すように、無線通信システムは、前記第１実施例において、無線基地局１が有する、無線チャネルの利用状況に応じて端末２へ配信する情報を、情報提供者１４が有する情報で更新する。第４実施例によれば、情報提供者１４によって、無線チャネルの利用状況に応じて無線基地局１から端末２へ配信する情報を更新することができる。【００１６】
前記第１〜第４の実施例において、無線通信システムとして、例えば３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）規格のＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式の移動通信システムが挙げられる。無線基地局１として、例えば、いわゆるフェムトセル（超小型基地局装置、小規模無線基地局、家庭内基地局または屋内型基地局ともいう）と呼ばれる小型基地局が挙げられる。端末２として、例えば３ＧＰＰ規格の移動端末が挙げられる。無線基地局１と端末２との間の無線チャネルの利用状況に応じて無線基地局１から配信される情報として、例えば広告の情報が挙げられる。報知装置８として、例えば動画や静止画を表示する表示機器や、音声を出力するスピーカが挙げられる。無線通信事業者１０として、例えば携帯電話事業者が挙げられる。情報提供者１４として、例えば広告の情報を配信する広告配信業者が挙げられる。以下に、前記第４実施例の無線通信システムにおいて、通信規格を３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）規格とし、通信方式をＷ−ＣＤＭＡ方式とし、無線基地局をフェムトセルとした例について説明する。【００１７】
（第５実施例）
・無線基地局の構成
図６は、第５実施例の無線基地局の構成を示す説明図である。無線基地局は、例えば、Ｗ−ＣＤＭＡ方式に対応しており、家庭やオフィスや商業施設に設置され、半径数十メートル程度の通信範囲で同時に４台程度の端末と通信することができるとする。図６に示すように、無線基地局２１は、ＬＡＮインタフェース部２２、無線制御部２３、無線送受信部２４、広告のデータベース２５、配信部２６、取得部２７、利用状況のデータベース２８、解析部２９、格納部３０および管理部３１を備えている。【００１８】
無線送受信部２４は、３ＧＰＰの通信制御規則に基づいて、端末と無線基地局２１との間で物理チャネルで無線信号を送受信する。無線制御部２３は、３ＧＰＰの通信制御規則に基づいて、端末と無線基地局２１との間の通信コネクション（セッション）や無線チャネル（トランスポートチャネル）などを制御する。図７に、無線制御部２３により制御される無線チャネルおよびアイドルの一例を示す。【００１９】
図７は、通信状態の一例を示す説明図である。図７に示すように、３ＧＰＰ規格では、約３８４Ｋｂｐｓの通信レートを占有的に使用可能なＤＣＨ（Ｄｅｄｉｃａｔｅｄ  Ｃｈａｎｎｅｌ）、約２Ｍｂｐｓ以上の通信レートを占有的に使用可能なＥ−ＤＣＨ（Ｅｎｈａｎｃｅｄ  Ｄｅｄｉｃａｔｅｄ  Ｃｈａｎｎｅｌ）、低レートを他のユーザと共有して使用するＦＡＣＨ（Ｆｏｒｗａｒｄ  Ａｃｃｅｓｓ  Ｃｈａｎｎｅｌ）、および７Ｍｂｐｓ以上の高レートを他のユーザと共有して使用するＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）などのトランスポートチャネルを用いて、通信状態が制御されている。また、無通信状態が長い場合、アイドル状態としてトランスポートチャネルを用いない通信状態がある。３ＧＰＰ規格では、無線基地局２１の無線制御部２３と端末の無線制御部との間でＲＲＣ（Ｒａｄｉｏ  Ｒｅｓｏｕｒｃｅ
Ｃｏｎｔｒｏｌ）信号を送受信することによって、これらの通信状態を制御することができる。従って、無線制御部２３は、端末ごとに無線チャネルの状態を把握することができる。【００２０】
前記取得部２７は、無線制御部２３の無線チャネルの状態を端末ごとに取得する。格納部３０は、取得部２７により得られた無線チャネルの状態の情報を端末、無線チャネルの状態および上り下りの方向ごとに格納する。図８に、格納部３０に格納される情報の一例を示す。【００２１】
図８は、格納部に格納される情報の一例を示す説明図である。図８に示すように、格納部３０には、例えばユーザごとに付与されているユーザＩＤ、接続を開始した時刻、接続を終了した時刻、無線チャネルの状態および上り下りの方向の各情報が格納される。前記解析部２９は、格納部３０に格納されている情報を解析する。そして、解析部２９は、利用状況のデータベース２８に格納されている情報の中から、無線チャネルの利用状況がその解析結果に合致するか、または最も近い広告のターゲットの情報を抽出する。また、解析部２９は、その解析結果を利用状況のデータベース２８に書き込む。利用状況のデータベース２８は、端末のユーザに関する情報を、無線チャネルの利用状況と関連付けて格納する。図９に、利用状況のデータベース２８に格納される情報の一例を示す。【００２２】
図９は、利用状況のデータベースに格納される情報の一例を示す説明図である。図９に示すように、利用状況のデータベース２８において、端末のユーザに関する情報として、例えばユーザＩＤ、性別や年齢や嗜好などの個人情報、およびその個人情報を参照して良いか否かの情報が挙げられる。また、無線チャネルの利用状況の情報として、例えばＤＣＨ、Ｅ−ＤＣＨ、ＦＡＣＨ、ＨＳ−ＤＳＣＨおよびアイドルの各通信状態の合計時間、並びにアイドル状態を含む全通信時間に占める割合が挙げられる。利用状況のデータベース２８は、第２データベースに相当する。【００２３】
前記配信部２６は、広告のデータベース２５に格納されている広告の情報の中から、解析部２９により抽出された広告のターゲットの情報に合致する広告または最も近い広告を抽出する。そして、配信部２６は、抽出した広告を無線制御部２３および無線送受信部２４を介して端末へ送信する。または、配信部２６は、抽出した広告をＬＡＮインタフェース部２２を介して表示機器へ送信する。広告のデータベース２５は、広告配信業者から配信されてくる広告の情報を格納する。また、広告のデータベース２５は、有効期限が経過した広告の情報を削除する。図１０に、広告のデータベース２５に格納される情報の一例を示す。【００２４】
図１０は、広告のデータベースに格納される情報の一例を示す説明図である。図１０に示すように、広告のデータベース２５には、例えば広告ごとに付与されている広告ＩＤ、広告のターゲットの情報および広告の情報が格納される。広告の情報として、例えば広告の媒体の種別、広告の有効期限および広告のデータが挙げられる。広告のデータは、例えばバイナリデータである。広告の媒体の種別として、例えば映像、音声、画像または文字列などからなるバナーや動画や静止画などが挙げられる。広告のデータは、例えば新製品の情報、新サービス、雑誌またはその他の広告などの、企業等の委託元の広告を実現するデータである。広告のターゲットの情報として、例えば広告のターゲットとする性別や年齢や嗜好が挙げられる。広告のデータベース２５は、第１データベースに相当する。【００２５】
前記管理部３１は、利用状況のデータベース２８に格納されている情報をＬＡＮインタフェース部２２を介して移動体通信事業者へ送信する。また、管理部３１は、解析部２９が無線チャネルの状態を解析するタイミングや、配信部２６が広告の情報を配信するタイミングを管理する。解析部２９に対する解析開始のタイミングとしては、例えば一定間隔や、無線基地局２１での通信処理の少ない時（例えば、夜中の通話の少ない時間帯）が挙げられる。ＬＡＮインタフェース部２２は、ＬＡＮ（Ｌｏｃａｌ  Ａｒｅａ  Ｎｅｔｗｏｒｋ）とのインタフェースであり、ＩＰ（Ｉｎｔｅｒｎｅｔ  Ｐｒｏｔｏｃｏｌ）アドレスおよびＤＮＳ（Ｄｏｍａｉｎ  Ｎａｍｅ  Ｓｙｓｔｅｍ）などの情報を有する。ＬＡＮインタフェース部２２は、例えばルータに有線または無線により接続される。【００２６】
無線制御部２３および無線送受信部２４は、第４実施例の無線通信部３として動作する。取得部２７、解析部２９および格納部３０は、第４実施例の分析部４として動作する。広告のデータベース２５、利用状況のデータベース２８および管理部３１は、第４実施例の制御部５として動作する。【００２７】
・端末の構成
図１１は、第５実施例の端末の構成を示す説明図である。端末は、ユーザがウェブなどのインターネットを介した通信や、公衆回線や他の通信網を介して音声などの通信を行う際に用いられる。また、端末は、広告のデータを実行し、映像や文字列などの広告を表示したり、音声を出力することができる。図１１に示すように、端末４１は、無線送受信部４２、無線制御部４３、実行部４４、表示部４５、スピーカ４６および入力部４７を備えている。【００２８】
無線送受信部４２は、３ＧＰＰの通信制御規則に基づいて、端末４１と無線基地局２１との間で物理チャネルで無線信号を送受信する。無線制御部４３は、３ＧＰＰの通信制御規則に基づいて、端末４１と無線基地局２１との間の通信コネクション（セッション）や無線チャネル（トランスポートチャネル）などを制御する。実行部４４は、ウェブ情報の表示、音声による通話、またはネットワークを利用したゲームなどを実行する。表示部４５は、液晶パネルなどの表示画面を備えており、実行部４４による実行結果を表示する。また、表示部４５は、映像や画像や文字列などからなる広告を表示する。スピーカ４６は、実行部４４による実行の結果再生された音声を出力する。また、スピーカ４６は、音声からなる広告を出力する。入力部４７は、ユーザが入力したコマンドや、ユーザが入力したウェブサイトのＵＲＬなどを受け付ける。【００２９】
無線送受信部４２および無線制御部４３は、第４実施例の無線通信部６として動作する。表示部４５およびスピーカ４６は、第４実施例の出力部７として動作する。【００３０】
・表示機器の構成
図１２は、第５実施例の表示機器の構成を示す説明図である。表示機器は、第４実施例の報知装置８に相当する。表示機器は、例えば店舗や展示場などに設置され、店舗や展示場の中にいるユーザやその他の人に対して広告を表示する。図１２に示すように、表示機器５１は、表示部５２および受信部５３を備えている。受信部５３は、無線基地局２１から配信された広告のデータを受信する。表示部５２は、液晶ディスプレイやプラズマディスプレイや電子ペーパーなどの表示画面を備えており、受信部５３により受信された広告のデータを表示する。また、表示機器５１は、スピーカを備えていてもよい。【００３１】
・移動体通信事業者の装置の構成
図１３は、第５実施例の移動体通信事業者の装置の構成を示す説明図である。移動体通信事業者は、ユーザに対して端末４１を用いた通信サービスを提供する事業者である。図１３に示すように、移動体通信事業者の装置６１は、コアネットワーク部６２、終端部６３、制御部６４、利用状況のデータベース６５および加入者のデータベース６６を備えている。【００３２】
コアネットワーク部６２は、インターネットや公衆回線や他の通信網に対するゲートウェイであり、ユーザの通信状況を管理し、課金処理などを行う。終端部６３は、インターネットに接続され、インターネットを介して、家庭やオフィスや商業施設に設置される複数の無線基地局２１との通信を行う。制御部６４は、無線基地局２１の利用状況のデータベース２８に格納されている情報を利用状況のデータベース６５へ送信させる。制御部６４は、無線基地局２１の解析部２９が無線チャネルの状態を解析するタイミングや、無線基地局２１の配信部２６が広告の情報を配信するタイミングを管理する。また、制御部６４は、加入者のデータベース６６から、利用状況のデータベース６５として利用可能なユーザの情報を抽出し、利用状況のデータベース６５内に、抽出されたユーザと同じユーザのものと推定される無線チャネルの利用状況の情報があるか検索する。利用状況のデータベース６５内に該当するユーザの情報がある場合、制御部６４は、加入者のデータベース６６に格納されている、該当するユーザの性別や年齢や嗜好の情報を用いて利用状況のデータベース６５の該当する情報を更新する。【００３３】
利用状況のデータベース６５は、無線基地局２１から送信されてくる、無線基地局２１の利用状況のデータベース２８に格納されている情報を格納する。利用状況のデータベース６５に格納される情報は、例えば図９に示す通りである。加入者のデータベース６６は、移動体通信事業者と契約している加入者の情報を格納する。図１４に、加入者のデータベース６６に格納される情報の一例を示す。【００３４】
図１４は、加入者のデータベースに格納される情報の一例を示す説明図である。図１４に示すように、加入者のデータベース６６において、参照の可否が「Ｙｅｓ」となっているユーザについては、事前に性別や年齢や嗜好の情報を取得しているので、ターゲットの情報として性別や年齢や嗜好の情報が格納されている。参照の可否が「Ｎｏ」となっているユーザについては、性別や年齢や嗜好の情報は格納されていない。【００３５】
・広告配信業者の装置の構成
図１５は、第５実施例の広告配信業者の装置の構成を示す説明図である。広告配信業者は、企業等から広告の配信を請け負う事業者であり、企業から委託された広告をデータベース化して保持する。企業等の広告として、例えば新製品や新サービスの情報、雑誌またはその他の広告などがある。広告配信業者の装置７１において、広告のデータベース７２は、企業等の広告の情報を格納する。広告のデータベース７２に格納される情報は、例えば図１０に示す通りである。付与部７３は、広告のデータベース７２に格納されている広告の情報に、広告の配信先として必要なターゲットの情報を付与する。ターゲットの情報は、例えば広告の委託元の希望などに基づいて、広告配信業者により入力される。ターゲットの情報としては、例えば性別や年齢や嗜好などが挙げられる。制御部７４は、付与部７３がターゲットの情報を付与する作業を開始するタイミングを制御したり、広告のデータベース７２に格納されている情報を無線基地局２１の広告のデータベース２５へ送信する。付与部７３および制御部７４は、インターネットに接続される。【００３６】
・ルータの構成
図１６は、第５実施例のルータの構成を示す説明図である。図１６に示すように、ルータ８１は、ゲートウェイ部８２およびＬＡＮ制御部８３を備えている。ＬＡＮ制御部８３は、ＬＡＮを制御し、ＬＡＮに配置される無線基地局２１および表示機器５１との双方向通信を制御する。ゲートウェイ部８２は、インターネットと接続するゲートウェイであり、インターネットを介して移動体通信事業者の装置６１や広告配信業者の装置７１との間の信号の送受信を行う。【００３７】
・広告を端末へ配信する動作
図１７は、第５実施例において広告を端末へ配信する動作を示す説明図である。図１７に示すように、端末４１と移動体通信事業者の装置６１との間で通常の通信を実施する際（ステップＳ１１）、無線基地局２１の無線制御部２３により、無線基地局２１と端末４１との間の通信コネクション（セッション）や無線チャネル（トランスポートチャネル）などを制御する（ステップＳ１２）。次いで、取得部２７により、無線制御部２３から例えば図７に示す無線チャネルの状態の情報を端末ごとに取得し（ステップＳ１３）、その情報を端末ごとに格納部３０に記録する（ステップＳ１４）。次いで、解析部２９により、格納部３０に格納されている、例えば図８に示す情報について無線チャネルの利用状況のパターンを解析する（ステップＳ１５）。また、解析部２９により、利用状況のデータベース２８に格納されている情報について無線チャネルの利用状況のパターンを解析する（ステップＳ１６）。そして、解析部２９により、両方の無線チャネルの利用状況のパターンを照合し、利用状況のデータベース２８に格納されている情報のパターンの中から、格納部３０に格納されている情報のパターンに最も近いものを選択し、その選択した情報に含まれるターゲットの情報を配信部２６へ送信する（ステップＳ１７）。管理部３１からの契機により、配信部２６により、ターゲットの情報に合致する広告、またはターゲットの情報に最も近い広告を広告のデータベース２５から検索し（ステップＳ１８）、その広告の情報を無線制御部２３へ送信する（ステップＳ１９）。次いで、無線制御部２３により、ターゲットとする端末４１へ広告の情報を送信する（ステップＳ２０）。このようにして、ターゲットとする端末４１に、この端末４１のユーザに適した広告の情報が配信される。図１８に、端末４１の表示例を示す。【００３８】
図１８は、端末の表示例を示す説明図である。図１８に示す例では、端末４１の表示部４５に、ユーザの操作によって例えばウェブの「関東の天気予報  東京都  ・・・」という表示４８がされており、その上方に「ＡＡ新聞のお申し込みはこちら」という広告４９が例えばバナーの形態で表示されている。広告が配信される前は、「ＡＡ新聞・・・」という広告は表示されない。この例は、例えばユーザの嗜好が新聞である場合に該当する。なお、表示部４５の全体に、例えば動画や静止画や文字で広告が表示されてもよい。また、表示と同時に音声が出力されてもよいし、音声のみで広告の案内がされてもよい。【００３９】
・無線チャネルの状態の解析および利用状況のデータベースへの書き込み処理
図１９は、第５実施例において無線チャネルの状態の解析および利用状況のデータベースへの書き込み処理を示す説明図である。図１９に示すように、無線基地局２１の管理部３１からの契機により、あるいはユーザの通信が始まってから一定期間が経過した時点で、無線チャネルの状態の解析および利用状況のデータベースへの書き込み処理が開始されると、まず、無線基地局２１の格納部３０に格納されている、例えば図８に示す情報の最初のレコードを読み込む（ステップＳ３１）。次いで、読み込まれたレコードに記されているユーザが解析済みであるか否かを判断する（ステップＳ３２）。解析済みである場合には（ステップＳ３２：Ｙｅｓ）、格納部３０に格納されている情報の次のレコードを読み込み（ステップＳ３３）、再びそのレコードに記されているユーザが解析済みであるか否かを判断する（ステップＳ３２）。ステップＳ３１またはステップＳ３３で読み込まれたレコードのユーザが解析済みでない場合（ステップＳ３２：Ｎｏ）、そのユーザが個人情報の参照を許可しているユーザであるか否かを判断する（ステップＳ３４）。個人情報の参照を許可していないユーザである場合（ステップＳ３４：Ｎｏ）、そのユーザの無線チャネルの利用状況を分析し、無線チャネルの状態および方向ごとに、接続の合計時間およびアイドル状態を含む全通信時間に占める割合を求める（ステップＳ３５）。図２０に、ユーザの無線チャネルの利用状況を分析した結果の一例を示す。【００４０】
図２０は、ユーザの無線チャネルの利用状況を分析した結果の一例を示す説明図である。図２０に示す分析結果は、図８に示す、格納部３０に格納されている情報を分析したものである。【００４１】
図１９に戻り、例えば図９に示す利用状況のデータベース２８に格納されている情報の中から、無線チャネルの利用状況がその解析結果に合致するか、または最も近いユーザを検索する（ステップＳ３６）。検索の方法として、例えば次のような方法が挙げられる。一例として、図９に示す利用状況のデータベース２８の中から、図２０に示す分析結果のユーザＩＤ０００１のユーザに最も近いユーザを検索する方法を説明する。個人情報を参照可能なユーザ（図９において、参照の可否のフィールドの値が「Ｙｅｓ」であるユーザ）ごとに、次の式に従って通信状態の一致の度合いをそれぞれ計算する。なお、次式において、＃＃＃＃は、ＤＣＨ、Ｅ−ＤＣＨ、ＦＡＣＨ、ＨＳ−ＤＳＣＨおよびアイドルである。
通信状態の一致度＝Σ｛｜［参照可能なユーザの＃＃＃＃（上り）の割合］−［ユーザ０００１の＃＃＃＃（上り）の割合］｜＋｜［参照可能なユーザの＃＃＃＃（下り）の割合］−［ユーザ０００１の＃＃＃＃（下り）の割合］｜｝【００４２】
この式によれば、参照可能なユーザとユーザ０００１とで無線チャネルの利用状況が近いほど、一致度の値が小さくなる。この式に従って計算すると、ユーザ０００１と参照可能なユーザ０００３との一致度は１８であり、ユーザ０００１と参照可能なユーザ０００４との一致度は３２０である。従って、図９に示す参照可能なユーザ０００３のターゲットの情報をユーザ０００１の情報に適用することができる。ユーザＩＤ０００２のユーザについても同様にして一致度を求めると、ユーザ０００２と参照可能なユーザ０００４との一致度の値が最も小さくなる。従って、ユーザ０００２については、図９に示す参照可能なユーザ０００４のターゲットの情報を適用することができる。なお、検索の方法は、この方法に限らない。【００４３】
次いで、ステップＳ３５で得られた無線チャネルの利用状況の分析結果と、ステップＳ３６で検索された参照可能なユーザのターゲットの情報とを対応付けて、ステップＳ３５で分析の対象とされたユーザの情報とし、それを利用状況のデータベース２８に書き込む（ステップＳ３７）。図２１に、分析結果を書き込んだ後の利用状況のデータベース２８の一例を示す。【００４４】
図２１は、分析結果を書き込んだ後の利用状況のデータベースの一例を示す説明図である。図２１に示すように、図９に示す利用状況のデータベース２８に対して、ユーザ０００１およびユーザ０００２が追加されており、それぞれのターゲットの情報は、ユーザ０００３およびユーザ０００４と同じである。【００４５】
図１９に戻り、配信部２６に、ステップＳ３５で分析の対象とされたユーザに、分析結果を書き込んだ後の利用状況のデータベース２８のターゲットの情報に基づいた広告を配信するように指示する（ステップＳ３８）。図２２に、配信部２６に指示される情報の一例を示す。【００４６】
図２２は、配信部に指示される情報の一例を示す説明図である。図２２に示すように、配信部２６には、ユーザＩＤおよびターゲットの情報が指示される。ターゲットの情報としては、例えば性別や年齢や嗜好が挙げられる。【００４７】
図１９に戻り、ステップＳ３４で個人情報の参照を許可しているユーザである場合（ステップＳ３４：Ｙｅｓ）、ステップＳ３５〜ステップＳ３７を行わずに、ステップＳ３８へ進み、配信部２６に広告を配信するように指示する。広告の配信を指示したら、処理中のレコードが格納部３０に格納されている最後のレコードであるか否かを判断する（ステップＳ３９）。最後のレコードでなければ（ステップＳ３９：Ｎｏ）、ステップＳ３３に戻り、ステップＳ３２〜ステップＳ３９を繰り返す。最後のレコードであれば（ステップＳ３９：Ｙｅｓ）、上述した一連の処理を終了する。【００４８】
・広告のデータベースから広告を検索する処理
図２３は、第５実施例において広告のデータベースから広告を検索する処理を示す説明図であり、図２４は、図２３の続きを示す図である。図２３および図２４に示すように、広告のデータベースから広告を検索する処理が開始されると、まず、広告のデータベース２５から有効期限内の全ての広告の情報を読み込む（ステップＳ４１）。読み込まれた広告の数が１件であるか否かを判断する（ステップＳ４２）。広告の数が１件である場合（ステップＳ４２：Ｙｅｓ）、この検索処理を終了する。広告の数が１件でない場合（ステップＳ４２：Ｎｏ）、対象とするユーザの性別をターゲットとする広告があるか否かを判断する（ステップＳ４３）。該当する性別の広告がない場合（ステップＳ４３：Ｎｏ）、広告の数が１件であるか否かを判断する（ステップＳ４５）。該当する性別の広告がある場合（ステップＳ４３：Ｙｅｓ）、対象とするユーザの性別でない広告を削除し（ステップＳ４４）、残った広告の数が１件であるか否かを判断する（ステップＳ４５）。【００４９】
広告の数が１件である場合（ステップＳ４５：Ｙｅｓ）、検索処理を終了する。広告の数が１件でない場合（ステップＳ４５：Ｎｏ）、対象とするユーザの年齢をターゲットとする広告があるか否かを判断する（ステップＳ４６）。該当する年齢の広告がある場合（ステップＳ４６：Ｙｅｓ）、広告の数が１件であるか否かを判断する（ステップＳ４８）。該当する年齢の広告がない場合（ステップＳ４６：Ｎｏ）、対象とするユーザの年齢に最も近い広告以外の広告を削除し（ステップＳ４７）、残った広告の数が１件であるか否かを判断する（ステップＳ４８）。【００５０】
広告の数が１件である場合（ステップＳ４８：Ｙｅｓ）、検索処理を終了する。広告の数が１件でない場合（ステップＳ４８：Ｎｏ）、対象とするユーザの嗜好をターゲットとする広告があるか否かを判断する（ステップＳ４９）。該当する嗜好の広告がない場合（ステップＳ４９：Ｎｏ）、広告の数が１件であるか否かを判断する（ステップＳ５１）。該当する嗜好の広告がある場合（ステップＳ４９：Ｙｅｓ）、対象とするユーザの嗜好に最も近い広告以外の広告を削除し（ステップＳ５０）、残った広告の数が１件であるか否かを判断する（ステップＳ５１）。広告の数が１件である場合（ステップＳ５１：Ｙｅｓ）、検索処理を終了する。広告の数が１件でない場合（ステップＳ５１：Ｎｏ）、配信件数の最も低い広告以外の広告を削除し（ステップＳ５２）、上述した一連の処理を終了する。【００５１】
この検索処理の終了時に残った広告が配信部２６から無線制御部２３を経由して配信される。図２５に、無線制御部２３に指示される情報の一例を示す。【００５２】
図２５は、無線制御部に指示される情報の一例を示す説明図である。図２５に示すように、無線制御部２３には、ユーザＩＤ、広告のＩＤおよび広告のデータが指示される。広告のデータは、例えばバイナリデータである。【００５３】
・広告を表示機器へ配信する動作
図２６は、第５実施例において広告を表示機器へ配信する動作を示す説明図である。図２６に示すように、ステップＳ１１〜ステップＳ１８は、図１７に示す広告を端末へ配信する動作と同じである。ステップＳ１８で、配信部２６により、ターゲットの情報に合致する広告、またはターゲットの情報に最も近い広告を広告のデータベース２５から検索した後、その広告の情報をルータ８１のＬＡＮ制御部８３へ送信する（ステップＳ２１）。次いで、ＬＡＮ制御部８３により、表示機器５１へ広告の情報を送信する（ステップＳ２２）。このようにして、表示機器５１の表示部５２に、端末４１のユーザに適した広告の情報が表示される。図２７に、配信部２６に送信される情報の一例を示す。【００５４】
図２７は、配信部に送信される情報の一例を示す説明図である。図２７に示すように、配信部２６には、ユーザＩＤおよびターゲットの情報が指示される。ターゲットの情報としては、例えば性別や年齢や嗜好が挙げられる。図２７に示す例において、図２３および図２４に示す処理を行い、各ユーザに対して表示する広告を選択した例を図２８に示す。また、図２８に示す例において、表示機器５１の受信部５３に送信される情報の一例を図２９に示す。【００５５】
図２８は、各ユーザに対して表示する広告を選択した例を示す説明図である。図２９は、表示機器の受信部に送信される情報の一例を示す説明図である。図２８に示す例では、広告のＩＤが０００Ａである広告データと０００Ｃである広告データが選択されている。図２９に示すように、表示機器５１の受信部５３には、これら二つの広告のＩＤとデータが、優先度によって並べ替えられて、例えばＩＰ接続によるＦＴＰ（Ｆｉｌｅ  Ｔｒａｎｓｆｅｒ  Ｐｒｏｔｏｃｏｌ）転送などにより送信される。優先度は、例えばヒット件数の多い順に高い。図３０に、表示機器５１の表示例を示す。【００５６】
図３０は、表示機器の表示例を示す説明図である。図３０に示す例では、表示機器５１の表示部５２に、例えば「首都圏のニュース」としてニュースの映像５４が表示されており、その下方に「旅行に行くならＡＡＡツーリストにおまかせ」という広告５５が例えば動画の形態で表示されている。広告が配信される前は、「旅行に行くなら・・・」という広告は表示されない。この例は、例えばユーザの嗜好が旅行である場合に該当する。なお、表示部５２の一部または全体に、例えば動画や静止画や文字で広告が表示されてもよい。また、表示と同時に音声が出力されてもよいし、音声のみで広告の案内がされてもよい。音声による広告の案内がある場合には、表示機器５１はスピーカを有している。【００５７】
無線基地局２１の配信部２６に図２７に示す情報が配信された時点で、該当するユーザは無線基地局２１と通信中であるか、またはその直前まで無線基地局２１と通信をしていたことになる。つまり、ユーザは、無線基地局２１との間で通信を行うことができる範囲内にいることになる。従って、表示機器５１に広告を表示することによって、該当するユーザに対して、適当な広告を表示することができる。表示または出力すべき広告が複数ある場合には、優先度の高い順に広告を表示または出力したり、広告を表示または出力する時間を優先度の高い順に長くしたりしてもよい。あるいは、広告を表示または出力する頻度を優先度の高い順に多くしてもよい。【００５８】
・利用状況のデータベースを更新する動作
図３１は、第５実施例において利用状況のデータベースを更新する動作を示す説明図である。図３１に示すように、無線基地局２１の利用状況のデータベース２８から移動体通信事業者の装置６１の利用状況のデータベース６５へ、例えば図２１に示す、分析結果を書き込んだ後の利用状況のデータベース２８の値を送信する（ステップＳ６１）。移動体通信事業者の装置６１の制御部６４により、無線基地局２１の利用状況のデータベース２８の値で上書きされた、移動体通信事業者の装置６１の利用状況のデータベース６５と、例えば図１４に示す加入者のデータベース６６とを比較し（ステップＳ６２）、加入者のデータベース６６のターゲットの情報を用いて利用状況のデータベース６５のターゲットの情報を更新する（ステップＳ６３）。次いで、移動体通信事業者の装置６１の利用状況のデータベース６５から無線基地局２１の利用状況のデータベース２８へ、移動体通信事業者の装置６１の更新された利用状況のデータベース６５の値を送信し、無線基地局２１の利用状況のデータベース２８の値を上書きする（ステップＳ６４）。【００５９】
・移動体通信事業者の装置において利用状況のデータベースを更新する処理
図３２は、第５実施例において利用状況のデータベースを更新する処理を示す説明図である。図３２に示すように、移動体通信事業者の装置６１において利用状況のデータベース６５を更新する処理が開始されると、まず、移動体通信事業者の装置６１の制御部６４により、加入者のデータベース６６の最初に登録されているユーザの情報を読み込む（ステップＳ７１）。次いで、制御部６４により、読み込まれたユーザが個人情報の参照を許可しているユーザであるか否かを判断する（ステップＳ７２）。個人情報の参照を許可していないユーザである場合（ステップＳ７２：Ｎｏ）、制御部６４により、加入者のデータベース６６に次のユーザの情報が登録されているか否かを判断する（ステップＳ７３）。ユーザの情報が登録されていない場合（ステップＳ７３：Ｎｏ）、処理を終了する。【００６０】
ユーザの情報が登録されている場合には（ステップＳ７３：Ｙｅｓ）、制御部６４により、次に登録されているユーザの情報を読み込み（ステップＳ７４）、再びそのユーザが個人情報の参照を許可しているか否かを判断する（ステップＳ７２）。ステップＳ７１またはステップＳ７４で読み込まれたユーザが個人情報の参照を許可しているユーザである場合（ステップＳ７２：Ｙｅｓ）、制御部６４により、そのユーザの情報が利用状況のデータベース６５内に存在するか否かを判断する（ステップＳ７５）。該当するユーザの情報が利用状況のデータベース６５内に存在しない場合（ステップＳ７５：Ｎｏ）、ステップＳ７３に戻り、ステップＳ７２〜ステップＳ７５を繰り返す。【００６１】
該当するユーザの情報が利用状況のデータベース６５内に存在する場合（ステップＳ７５：Ｙｅｓ）、制御部６４により、加入者のデータベース６６に格納されている、該当するユーザのターゲットの情報を用いて利用状況のデータベース６５の該当する情報を更新する（ステップＳ７６）。そして、ステップＳ７３に戻り、加入者のデータベース６６にユーザの情報が登録されていない状態になるまで、ステップＳ７２〜ステップＳ７６を繰り返す。図３３に、更新後の利用状況のデータベース６５の一例を示す。【００６２】
図３３は、更新後の利用状況のデータベースの一例を示す説明図である。図３３に示す例では、更新された箇所に下線を付して示すように、例えばユーザＩＤが０００２であるユーザの情報が更新されている。例えば図２１に示す、無線基地局２１の利用状況のデータベース２８も、図３３に示す例と同様に更新される。【００６３】
・広告配信業者の装置から無線基地局へ広告のデータベースを配信する動作
図３４は、第５実施例において広告のデータベースを配信する動作を示す説明図である。図３４に示すように、広告配信業者の装置７１において、付与部７３により、ターゲットの情報が付与されていない広告のデータベース７２に対してターゲットの情報を付与する（ステップＳ８１）。ターゲットの情報としては、例えば性別や年齢や嗜好が挙げられる。ターゲットの情報は、広告の内容などに基づいて広告配信業者により決定される。次いで、広告配信業者の装置７１から無線基地局２１へ、ターゲット情報が付与された広告のデータベース７２の内容を送信し、無線基地局２１の広告のデータベース２５の内容を上書きする（ステップＳ８２）。図３５に、ターゲットの情報が付与されていない広告のデータベース７２の一例を示す。【００６４】
図３５は、ターゲットの情報が付与されていない広告のデータベースの一例を示す説明図である。ターゲットの情報が付与された広告のデータベースの一例は、図１０に示すとおりである。ただし、図１０に示す例は、無線基地局２１の広告のデータベース２５の例であるが、広告配信業者の装置７１の広告のデータベース７２も同様である。【００６５】
第５実施例によれば、無線基地局２１が、端末４１によって利用されている無線チャネルの利用状況に応じて端末４１に対して広告の情報を配信するので、無線基地局２１から端末４１のユーザに適した広告の情報を配信することができる。その際、ユーザは、検索サイトで検索のキーワードを入力するなどの特定の動作を行う必要はない。また、無線基地局２１が、端末４１によって利用されている無線チャネルの利用状況に応じて表示機器５１へ広告の情報を配信するので、無線基地局２１から、無線基地局２１の周囲にいる複数のユーザに適した広告の情報を配信することができる。また、無線基地局２１から移動体通信事業者の装置６１へ利用状況のデータベース２８の内容が送信されるので、移動体通信事業者は、利用状況のデータベース２８に格納されている情報を取得することができる。従って、移動体通信事業者は、利用状況のデータベース２８に格納されている情報をマーケティングや新サービスの提供などに活用することができる。また、広告配信業者の装置７１から無線基地局２１へ広告のデータベース７２の内容が送信されるので、広告配信業者は、無線基地局２１の広告のデータベース２５の内容を更新することができる。
【図１】
2010079591.tif 000003
【図２】
2010079591.tif 000004
【図３】
2010079591.tif 000005
【図４】
2010079591.tif 000006
【図５】
2010079591.tif 000007
【図６】
2010079591.tif 000008
【図７】
2010079591.tif 000009
【図８】
2010079591.tif 000010
【図９】
2010079591.tif 000011
【図１０】
2010079591.tif 000012
【図１１】
2010079591.tif 000013
【図１２】
2010079591.tif 000014
【図１３】
2010079591.tif 000015
【図１４】
2010079591.tif 000016
【図１５】
2010079591.tif 000017
【図１６】
2010079591.tif 000018
【図１７】
2010079591.tif 000019
【図１８】
2010079591.tif 000020
【図１９】
2010079591.tif 000021
【図２０】
2010079591.tif 000022
【図２１】
2010079591.tif 000023
【図２２】
2010079591.tif 000024
【図２３】
2010079591.tif 000025
【図２４】
2010079591.tif 000026
【図２５】
2010079591.tif 000027
【図２６】
2010079591.tif 000028
【図２７】
2010079591.tif 000029
【図２８】
2010079591.tif 000030
【図２９】
2010079591.tif 000031
【図３０】
2010079591.tif 000032
【図３１】
2010079591.tif 000033
【図３２】
2010079591.tif 000034
【図３３】
2010079591.tif 000035
【図３４】
2010079591.tif 000036
【図３５】
2010079591.tif 000037
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
複数種類の無線チャネルのいずれかを用いて配下の端末と無線通信を行う無線通信部と、
該配下の端末によって利用される無線チャネルの利用状況の分析を行う分析部と、
該分析部における分析結果に応じて該端末に対して配信する情報を制御する制御部と、
を備えたことを特徴とする無線基地局。
【請求項２】
前記情報を、前記端末のユーザに関する情報と関連付けて格納する第１データベース、
をさらに備えたことを特徴とする請求項１に記載の無線基地局。
【請求項３】
前記端末のユーザに関する情報を、前記無線チャネルの利用状況と関連付けて格納する第２データベース、
をさらに備えたことを特徴とする請求項２に記載の無線基地局。
【請求項４】
前記制御部により制御された前記情報を前記端末へ配信する配信部、
をさらに備えたことを特徴とする請求項１に記載の無線基地局。
【請求項５】
前記配信部により配信される前記情報をネットワークへ出力するインタフェース部、
をさらに備えたことを特徴とする請求項４に記載の無線基地局。
【請求項６】
複数種類の無線チャネルのいずれかを用いて無線基地局と無線通信を行う無線通信部と、
該無線基地局との間で利用される無線チャネルの種類に応じて該無線基地局から配信される情報を出力する出力部と、
を備えたことを特徴とする端末。
【請求項７】
無線基地局と配下の端末との間で複数種類の無線チャネルのいずれかを用いて無線通信を行う無線通信システムにおいて、
該無線基地局は、該配下の端末によって利用される無線チャネルの利用状況を分析し、該分析結果に応じて該端末に対して情報を配信し、
該端末は、該無線基地局との間で利用される無線チャネルの種類に応じて該無線基地局から配信される情報を出力することを特徴とする無線通信システム。
【請求項８】
無線基地局と配下の端末との間で複数種類の無線チャネルのいずれかを用いて無線通信を行う無線通信方法において、
該端末によって利用される無線チャネルの利用状況を該無線基地局で分析する第１ステップと、
該第１ステップにおける分析結果に応じて該無線基地局から該端末へ情報を配信する第２ステップと、
該第２ステップで配信された情報を該端末に出力する第３ステップと、
を含むことを特徴とする無線通信方法。
【手続補正２】
【補正対象書類名】明細書
【補正対象項目名】全文
【補正方法】変更
【補正の内容】
【発明の詳細な説明】
【技術分野】
【０００１】
この発明は、無線基地局、端末、無線通信システムおよび無線通信方法に関する。
【背景技術】
【０００２】
従来、赤外線通信もしくはＩＣカードを用いた通信にて、ユーザ認証データ、端末情報、暗号化情報を受信し、これら受信した情報に基づいて超小型無線基地局に対して位置登録要求を行い、携帯端末と超小型無線基地局装置との間における通信を制御する無線通信システムが知られている（例えば、特許文献１参照。）。
【先行技術文献】
【特許文献】
【０００３】
【特許文献１】国際公開第２００５／０９６６５６号
【発明の概要】
【発明が解決しようとする課題】
【０００４】
しかしながら、従来の無線通信システムでは、無線基地局は、配下の端末のユーザに、ユーザごとに適した情報を配信することができなかった。
【０００５】
無線基地局から配下の端末のユーザに適した情報を配信することができる無線基地局、端末、無線通信システムおよび無線通信方法を提供することを目的とする。
【課題を解決するための手段】
【０００６】
無線基地局は、無線通信部、分析部および制御部を備えている。無線通信部は、複数種類の無線チャネルのいずれかを用いて配下の端末と無線通信を行う。分析部は、配下の端末によって利用される無線チャネルの利用状況の分析を行う。制御部は、分析部における分析結果に応じて端末に対して配信する情報を制御する。端末は、無線通信部および出力部を備えている。無線通信部は、複数種類の無線チャネルのいずれかを用いて無線基地局と無線通信を行う。出力部は、無線基地局との間で利用される無線チャネルの種類に応じて無線基地局から配信される情報を出力する。
【発明の効果】
【０００７】
無線基地局から配下の端末のユーザに適した情報を配信することができるという効果を奏する。
【図面の簡単な説明】
【０００８】
【図１】図１は、第１実施例の無線通信システムの構成を示す説明図である。
【図２】図２は、第１実施例の無線通信システムの動作を示す説明図である。
【図３】図３は、第２実施例の無線通信システムの構成を示す説明図である。
【図４】図４は、第３実施例の無線通信システムの構成を示す説明図である。
【図５】図５は、第４実施例の無線通信システムの構成を示す説明図である。
【図６】図６は、第５実施例の無線基地局の構成を示す説明図である。
【図７】図７は、通信状態の一例を示す説明図である。
【図８】図８は、無線基地局の格納部に格納される情報の一例を示す説明図である。
【図９】図９は、利用状況のデータベースに格納される情報の一例を示す説明図である。
【図１０】図１０は、広告のデータベースに格納される情報の一例を示す説明図である。
【図１１】図１１は、第５実施例の端末の構成を示す説明図である。
【図１２】図１２は、第５実施例の表示機器の構成を示す説明図である。
【図１３】図１３は、第５実施例の移動体通信事業者の装置の構成を示す説明図である。
【図１４】図１４は、加入者のデータベースに格納される情報の一例を示す説明図である。
【図１５】図１５は、第５実施例の広告配信業者の装置の構成を示す説明図である。
【図１６】図１６は、第５実施例のルータの構成を示す説明図である。
【図１７】図１７は、第５実施例において広告を端末へ配信する動作を示す説明図である。
【図１８】図１８は、端末の表示例を示す説明図である。
【図１９】図１９は、第５実施例において無線チャネルの状態の解析および利用状況のデータベースへの書き込み処理を示す説明図である。
【図２０】図２０は、ユーザの無線チャネルの利用状況を分析した結果の一例を示す説明図である。
【図２１】図２１は、分析結果を書き込んだ後の利用状況のデータベースの一例を示す説明図である。
【図２２】図２２は、配信部に指示される情報の一例を示す説明図である。
【図２３】図２３は、第５実施例において広告のデータベースから広告を検索する処理を示す説明図である。
【図２４】図２４は、図２３の続きを示す図である。
【図２５】図２５は、無線制御部に指示される情報の一例を示す説明図である。
【図２６】図２６は、第５実施例において広告を表示機器へ配信する動作を示す説明図である。
【図２７】図２７は、配信部に送信される情報の一例を示す説明図である。
【図２８】図２８は、各ユーザに対して表示する広告を選択した例を示す説明図である。
【図２９】図２９は、表示機器の受信部に送信される情報の一例を示す説明図である。
【図３０】図３０は、表示機器の表示例を示す説明図である。
【図３１】図３１は、第５実施例において利用状況のデータベースを更新する動作を示す説明図である。
【図３２】図３２は、第５実施例において利用状況のデータベースを更新する処理を示す説明図である。
【図３３】図３３は、更新後の利用状況のデータベースの一例を示す説明図である。
【図３４】図３４は、第５実施例において広告のデータベースを配信する動作を示す説明図である。
【図３５】図３５は、ターゲットの情報が付与されていない広告のデータベースの一例を示す説明図である。
【発明を実施するための形態】
【０００９】
以下に、この発明にかかる無線基地局、端末、無線通信システムおよび無線通信方法の実施例を図面に基づいて詳細に説明する。なお、この実施例によりこの発明が限定されるものではない。
【００１０】
（第１実施例）
・無線通信システムの構成
図１は、第１実施例の無線通信システムの構成を示す説明図である。図１に示すように、無線通信システムは、無線基地局１および１個以上の端末２を備えている。無線基地局１は、無線通信部３、分析部４および制御部５を備えている。無線通信部３は、複数種類の無線チャネルのいずれかを用いて配下の端末２と無線通信を行う。無線チャネルは、端末２のユーザによる、例えば動画の閲覧やウェブブラウジングや静止画の閲覧などの通信内容に基づいて選択される。分析部４は、配下の端末２によって利用される無線チャネルの利用状況の分析を行う。制御部５は、分析部４における分析結果に応じて端末２に対して配信する情報を制御する。端末２は、無線通信部６および出力部７を備えている。無線通信部６は、複数種類の無線チャネルのいずれかを用いて無線基地局１と無線通信を行う。出力部７は、無線基地局１との間で利用される無線チャネルの種類に応じて無線基地局１から配信される情報を出力する。
【００１１】
・無線通信システムの動作
図２は、第１実施例の無線通信システムの動作を示す説明図である。図２に示すように、無線基地局１と配下の端末２との間で複数種類の無線チャネルのいずれかを用いて無線通信を行っているときに、無線基地局１は、分析部４により、端末２によって利用される無線チャネルの利用状況を分析する（ステップＳ１）。そして、無線基地局１は、無線チャネルの利用状況の分析結果に応じて端末２へ情報を配信する（ステップＳ２）。端末２は、無線基地局１から配信された情報を出力する（ステップＳ３）。第１実施例によれば、無線基地局１が、端末２によって利用されている無線チャネルに応じて端末２に対して情報を配信するので、無線基地局１から端末２のユーザに適した情報を配信することができる。
【００１２】
（第２実施例）
図３は、第２実施例の無線通信システムの構成を示す説明図である。図３に示すように、無線通信システムは、前記第１実施例において、報知装置８をさらに備えている。第２実施例では、無線基地局１と端末２との間の無線チャネルの利用状況に応じて無線基地局１から配信される情報は、例えばルータ９を介して、報知装置８へ配信される。報知装置８は、無線基地局１から配信される情報を出力する。端末２の出力部７および報知装置８の両方に、無線基地局１から配信される情報が出力されてもよい。第２実施例によれば、無線基地局１が、端末２によって利用されている無線チャネルに応じて報知装置８へ情報を配信するので、無線基地局１から、無線基地局１の周囲にいる複数のユーザに適した情報を配信することができる。
【００１３】
（第３実施例）
図４は、第３実施例の無線通信システムの構成を示す説明図である。図４に示すように、無線通信システムは、前記第１実施例において、無線基地局１は、無線通信事業者１０へ、無線チャネルの利用状況と端末２のユーザに関する情報とを関連付けた情報を送信する。無線基地局１と無線通信事業者１０との間では、例えばルータ９およびインターネット１１を経由して、情報の送受信が行われる。また、無線通信事業者１０は、インターネット１２や、公衆回線や他の通信網１３に接続されている。第３実施例によれば、無線通信事業者１０は、無線チャネルの利用状況と端末２のユーザに関する情報とを関連付けた情報を取得することができる。
【００１４】
（第４実施例）
図５は、第４実施例の無線通信システムの構成を示す説明図である。図５に示すように、無線通信システムは、前記第１実施例において、無線基地局１が有する、無線チャネルの利用状況に応じて端末２へ配信する情報を、情報提供者１４が有する情報で更新する。第４実施例によれば、情報提供者１４によって、無線チャネルの利用状況に応じて無線基地局１から端末２へ配信する情報を更新することができる。
【００１５】
前記第１〜第４の実施例において、無線通信システムとして、例えば３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）規格のＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式の移動通信システムが挙げられる。無線基地局１として、例えば、いわゆるフェムトセル（超小型基地局装置、小規模無線基地局、家庭内基地局または屋内型基地局ともいう）と呼ばれる小型基地局が挙げられる。端末２として、例えば３ＧＰＰ規格の移動端末が挙げられる。無線基地局１と端末２との間の無線チャネルの利用状況に応じて無線基地局１から配信される情報として、例えば広告の情報が挙げられる。報知装置８として、例えば動画や静止画を表示する表示機器や、音声を出力するスピーカが挙げられる。無線通信事業者１０として、例えば携帯電話事業者が挙げられる。情報提供者１４として、例えば広告の情報を配信する広告配信業者が挙げられる。以下に、前記第４実施例の無線通信システムにおいて、通信規格を３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）規格とし、通信方式をＷ−ＣＤＭＡ方式とし、無線基地局をフェムトセルとした例について説明する。
【００１６】
（第５実施例）
・無線基地局の構成
図６は、第５実施例の無線基地局の構成を示す説明図である。無線基地局は、例えば、Ｗ−ＣＤＭＡ方式に対応しており、家庭やオフィスや商業施設に設置され、半径数十メートル程度の通信範囲で同時に４台程度の端末と通信することができるとする。図６に示すように、無線基地局２１は、ＬＡＮインタフェース部２２、無線制御部２３、無線送受信部２４、広告のデータベース２５、配信部２６、取得部２７、利用状況のデータベース２８、解析部２９、格納部３０および管理部３１を備えている。
【００１７】
無線送受信部２４は、３ＧＰＰの通信制御規則に基づいて、端末と無線基地局２１との間で物理チャネルで無線信号を送受信する。無線制御部２３は、３ＧＰＰの通信制御規則に基づいて、端末と無線基地局２１との間の通信コネクション（セッション）や無線チャネル（トランスポートチャネル）などを制御する。図７に、無線制御部２３により制御される無線チャネルおよびアイドルの一例を示す。
【００１８】
図７は、通信状態の一例を示す説明図である。図７に示すように、３ＧＰＰ規格では、約３８４Ｋｂｐｓの通信レートを占有的に使用可能なＤＣＨ（Ｄｅｄｉｃａｔｅｄ  Ｃｈａｎｎｅｌ）、約２Ｍｂｐｓ以上の通信レートを占有的に使用可能なＥ−ＤＣＨ（Ｅｎｈａｎｃｅｄ  Ｄｅｄｉｃａｔｅｄ  Ｃｈａｎｎｅｌ）、低レートを他のユーザと共有して使用するＦＡＣＨ（Ｆｏｒｗａｒｄ  Ａｃｃｅｓｓ  Ｃｈａｎｎｅｌ）、および７Ｍｂｐｓ以上の高レートを他のユーザと共有して使用するＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）などのトランスポートチャネルを用いて、通信状態が制御されている。また、無通信状態が長い場合、アイドル状態としてトランスポートチャネルを用いない通信状態がある。３ＧＰＰ規格では、無線基地局２１の無線制御部２３と端末の無線制御部との間でＲＲＣ（Ｒａｄｉｏ  Ｒｅｓｏｕｒｃｅ
Ｃｏｎｔｒｏｌ）信号を送受信することによって、これらの通信状態を制御することができる。従って、無線制御部２３は、端末ごとに無線チャネルの状態を把握することができる。
【００１９】
前記取得部２７は、無線制御部２３の無線チャネルの状態を端末ごとに取得する。格納部３０は、取得部２７により得られた無線チャネルの状態の情報を端末、無線チャネルの状態および上り下りの方向ごとに格納する。図８に、格納部３０に格納される情報の一例を示す。
【００２０】
図８は、格納部に格納される情報の一例を示す説明図である。図８に示すように、格納部３０には、例えばユーザごとに付与されているユーザＩＤ、接続を開始した時刻、接続を終了した時刻、無線チャネルの状態および上り下りの方向の各情報が格納される。前記解析部２９は、格納部３０に格納されている情報を解析する。そして、解析部２９は、利用状況のデータベース２８に格納されている情報の中から、無線チャネルの利用状況がその解析結果に合致するか、または最も近い広告のターゲットの情報を抽出する。また、解析部２９は、その解析結果を利用状況のデータベース２８に書き込む。利用状況のデータベース２８は、端末のユーザに関する情報を、無線チャネルの利用状況と関連付けて格納する。図９に、利用状況のデータベース２８に格納される情報の一例を示す。
【００２１】
図９は、利用状況のデータベースに格納される情報の一例を示す説明図である。図９に示すように、利用状況のデータベース２８において、端末のユーザに関する情報として、例えばユーザＩＤ、性別や年齢や嗜好などの個人情報、およびその個人情報を参照して良いか否かの情報が挙げられる。また、無線チャネルの利用状況の情報として、例えばＤＣＨ、Ｅ−ＤＣＨ、ＦＡＣＨ、ＨＳ−ＤＳＣＨおよびアイドルの各通信状態の合計時間、並びにアイドル状態を含む全通信時間に占める割合が挙げられる。利用状況のデータベース２８は、第２データベースに相当する。
【００２２】
前記配信部２６は、広告のデータベース２５に格納されている広告の情報の中から、解析部２９により抽出された広告のターゲットの情報に合致する広告または最も近い広告を抽出する。そして、配信部２６は、抽出した広告を無線制御部２３および無線送受信部２４を介して端末へ送信する。または、配信部２６は、抽出した広告をＬＡＮインタフェース部２２を介して表示機器へ送信する。広告のデータベース２５は、広告配信業者から配信されてくる広告の情報を格納する。また、広告のデータベース２５は、有効期限が経過した広告の情報を削除する。図１０に、広告のデータベース２５に格納される情報の一例を示す。
【００２３】
図１０は、広告のデータベースに格納される情報の一例を示す説明図である。図１０に示すように、広告のデータベース２５には、例えば広告ごとに付与されている広告ＩＤ、広告のターゲットの情報および広告の情報が格納される。広告の情報として、例えば広告の媒体の種別、広告の有効期限および広告のデータが挙げられる。広告のデータは、例えばバイナリデータである。広告の媒体の種別として、例えば映像、音声、画像または文字列などからなるバナーや動画や静止画などが挙げられる。広告のデータは、例えば新製品の情報、新サービス、雑誌またはその他の広告などの、企業等の委託元の広告を実現するデータである。広告のターゲットの情報として、例えば広告のターゲットとする性別や年齢や嗜好が挙げられる。広告のデータベース２５は、第１データベースに相当する。
【００２４】
前記管理部３１は、利用状況のデータベース２８に格納されている情報をＬＡＮインタフェース部２２を介して移動体通信事業者へ送信する。また、管理部３１は、解析部２９が無線チャネルの状態を解析するタイミングや、配信部２６が広告の情報を配信するタイミングを管理する。解析部２９に対する解析開始のタイミングとしては、例えば一定間隔や、無線基地局２１での通信処理の少ない時（例えば、夜中の通話の少ない時間帯）が挙げられる。ＬＡＮインタフェース部２２は、ＬＡＮ（Ｌｏｃａｌ  Ａｒｅａ  Ｎｅｔｗｏｒｋ）とのインタフェースであり、ＩＰ（Ｉｎｔｅｒｎｅｔ  Ｐｒｏｔｏｃｏｌ）アドレスおよびＤＮＳ（Ｄｏｍａｉｎ  Ｎａｍｅ  Ｓｙｓｔｅｍ）などの情報を有する。ＬＡＮインタフェース部２２は、例えばルータに有線または無線により接続される。
【００２５】
無線制御部２３および無線送受信部２４は、第４実施例の無線通信部３として動作する。取得部２７、解析部２９および格納部３０は、第４実施例の分析部４として動作する。広告のデータベース２５、利用状況のデータベース２８および管理部３１は、第４実施例の制御部５として動作する。
【００２６】
・端末の構成
図１１は、第５実施例の端末の構成を示す説明図である。端末は、ユーザがウェブなどのインターネットを介した通信や、公衆回線や他の通信網を介して音声などの通信を行う際に用いられる。また、端末は、広告のデータを実行し、映像や文字列などの広告を表示したり、音声を出力することができる。図１１に示すように、端末４１は、無線送受信部４２、無線制御部４３、実行部４４、表示部４５、スピーカ４６および入力部４７を備えている。
【００２７】
無線送受信部４２は、３ＧＰＰの通信制御規則に基づいて、端末４１と無線基地局２１との間で物理チャネルで無線信号を送受信する。無線制御部４３は、３ＧＰＰの通信制御規則に基づいて、端末４１と無線基地局２１との間の通信コネクション（セッション）や無線チャネル（トランスポートチャネル）などを制御する。実行部４４は、ウェブ情報の表示、音声による通話、またはネットワークを利用したゲームなどを実行する。表示部４５は、液晶パネルなどの表示画面を備えており、実行部４４による実行結果を表示する。また、表示部４５は、映像や画像や文字列などからなる広告を表示する。スピーカ４６は、実行部４４による実行の結果再生された音声を出力する。また、スピーカ４６は、音声からなる広告を出力する。入力部４７は、ユーザが入力したコマンドや、ユーザが入力したウェブサイトのＵＲＬなどを受け付ける。
【００２８】
無線送受信部４２および無線制御部４３は、第４実施例の無線通信部６として動作する。表示部４５およびスピーカ４６は、第４実施例の出力部７として動作する。
【００２９】
・表示機器の構成
図１２は、第５実施例の表示機器の構成を示す説明図である。表示機器は、第４実施例の報知装置８に相当する。表示機器は、例えば店舗や展示場などに設置され、店舗や展示場の中にいるユーザやその他の人に対して広告を表示する。図１２に示すように、表示機器５１は、表示部５２および受信部５３を備えている。受信部５３は、無線基地局２１から配信された広告のデータを受信する。表示部５２は、液晶ディスプレイやプラズマディスプレイや電子ペーパーなどの表示画面を備えており、受信部５３により受信された広告のデータを表示する。また、表示機器５１は、スピーカを備えていてもよい。
【００３０】
・移動体通信事業者の装置の構成
図１３は、第５実施例の移動体通信事業者の装置の構成を示す説明図である。移動体通信事業者は、ユーザに対して端末４１を用いた通信サービスを提供する事業者である。図１３に示すように、移動体通信事業者の装置６１は、コアネットワーク部６２、終端部６３、制御部６４、利用状況のデータベース６５および加入者のデータベース６６を備えている。
【００３１】
コアネットワーク部６２は、インターネットや公衆回線や他の通信網に対するゲートウェイであり、ユーザの通信状況を管理し、課金処理などを行う。終端部６３は、インターネットに接続され、インターネットを介して、家庭やオフィスや商業施設に設置される複数の無線基地局２１との通信を行う。制御部６４は、無線基地局２１の利用状況のデータベース２８に格納されている情報を利用状況のデータベース６５へ送信させる。制御部６４は、無線基地局２１の解析部２９が無線チャネルの状態を解析するタイミングや、無線基地局２１の配信部２６が広告の情報を配信するタイミングを管理する。また、制御部６４は、加入者のデータベース６６から、利用状況のデータベース６５として利用可能なユーザの情報を抽出し、利用状況のデータベース６５内に、抽出されたユーザと同じユーザのものと推定される無線チャネルの利用状況の情報があるか検索する。利用状況のデータベース６５内に該当するユーザの情報がある場合、制御部６４は、加入者のデータベース６６に格納されている、該当するユーザの性別や年齢や嗜好の情報を用いて利用状況のデータベース６５の該当する情報を更新する。
【００３２】
利用状況のデータベース６５は、無線基地局２１から送信されてくる、無線基地局２１の利用状況のデータベース２８に格納されている情報を格納する。利用状況のデータベース６５に格納される情報は、例えば図９に示す通りである。加入者のデータベース６６は、移動体通信事業者と契約している加入者の情報を格納する。図１４に、加入者のデータベース６６に格納される情報の一例を示す。
【００３３】
図１４は、加入者のデータベースに格納される情報の一例を示す説明図である。図１４に示すように、加入者のデータベース６６において、参照の可否が「Ｙｅｓ」となっているユーザについては、事前に性別や年齢や嗜好の情報を取得しているので、ターゲットの情報として性別や年齢や嗜好の情報が格納されている。参照の可否が「Ｎｏ」となっているユーザについては、性別や年齢や嗜好の情報は格納されていない。
【００３４】
・広告配信業者の装置の構成
図１５は、第５実施例の広告配信業者の装置の構成を示す説明図である。広告配信業者は、企業等から広告の配信を請け負う事業者であり、企業から委託された広告をデータベース化して保持する。企業等の広告として、例えば新製品や新サービスの情報、雑誌またはその他の広告などがある。広告配信業者の装置７１において、広告のデータベース７２は、企業等の広告の情報を格納する。広告のデータベース７２に格納される情報は、例えば図１０に示す通りである。付与部７３は、広告のデータベース７２に格納されている広告の情報に、広告の配信先として必要なターゲットの情報を付与する。ターゲットの情報は、例えば広告の委託元の希望などに基づいて、広告配信業者により入力される。ターゲットの情報としては、例えば性別や年齢や嗜好などが挙げられる。制御部７４は、付与部７３がターゲットの情報を付与する作業を開始するタイミングを制御したり、広告のデータベース７２に格納されている情報を無線基地局２１の広告のデータベース２５へ送信する。付与部７３および制御部７４は、インターネットに接続される。
【００３５】
・ルータの構成
図１６は、第５実施例のルータの構成を示す説明図である。図１６に示すように、ルータ８１は、ゲートウェイ部８２およびＬＡＮ制御部８３を備えている。ＬＡＮ制御部８３は、ＬＡＮを制御し、ＬＡＮに配置される無線基地局２１および表示機器５１との双方向通信を制御する。ゲートウェイ部８２は、インターネットと接続するゲートウェイであり、インターネットを介して移動体通信事業者の装置６１や広告配信業者の装置７１との間の信号の送受信を行う。
【００３６】
・広告を端末へ配信する動作
図１７は、第５実施例において広告を端末へ配信する動作を示す説明図である。図１７に示すように、端末４１と移動体通信事業者の装置６１との間で通常の通信を実施する際（ステップＳ１１）、無線基地局２１の無線制御部２３により、無線基地局２１と端末４１との間の通信コネクション（セッション）や無線チャネル（トランスポートチャネル）などを制御する（ステップＳ１２）。次いで、取得部２７により、無線制御部２３から例えば図７に示す無線チャネルの状態の情報を端末ごとに取得し（ステップＳ１３）、その情報を端末ごとに格納部３０に記録する（ステップＳ１４）。次いで、解析部２９により、格納部３０に格納されている、例えば図８に示す情報について無線チャネルの利用状況のパターンを解析する（ステップＳ１５）。また、解析部２９により、利用状況のデータベース２８に格納されている情報について無線チャネルの利用状況のパターンを解析する（ステップＳ１６）。そして、解析部２９により、両方の無線チャネルの利用状況のパターンを照合し、利用状況のデータベース２８に格納されている情報のパターンの中から、格納部３０に格納されている情報のパターンに最も近いものを選択し、その選択した情報に含まれるターゲットの情報を配信部２６へ送信する（ステップＳ１７）。管理部３１からの契機により、配信部２６により、ターゲットの情報に合致する広告、またはターゲットの情報に最も近い広告を広告のデータベース２５から検索し（ステップＳ１８）、その広告の情報を無線制御部２３へ送信する（ステップＳ１９）。次いで、無線制御部２３により、ターゲットとする端末４１へ広告の情報を送信する（ステップＳ２０）。このようにして、ターゲットとする端末４１に、この端末４１のユーザに適した広告の情報が配信される。図１８に、端末４１の表示例を示す。
【００３７】
図１８は、端末の表示例を示す説明図である。図１８に示す例では、端末４１の表示部４５に、ユーザの操作によって例えばウェブの「関東の天気予報  東京都  ・・・」という表示４８がされており、その上方に「ＡＡ新聞のお申し込みはこちら」という広告４９が例えばバナーの形態で表示されている。広告が配信される前は、「ＡＡ新聞・・・」という広告は表示されない。この例は、例えばユーザの嗜好が新聞である場合に該当する。なお、表示部４５の全体に、例えば動画や静止画や文字で広告が表示されてもよい。また、表示と同時に音声が出力されてもよいし、音声のみで広告の案内がされてもよい。
【００３８】
・無線チャネルの状態の解析および利用状況のデータベースへの書き込み処理
図１９は、第５実施例において無線チャネルの状態の解析および利用状況のデータベースへの書き込み処理を示す説明図である。図１９に示すように、無線基地局２１の管理部３１からの契機により、あるいはユーザの通信が始まってから一定期間が経過した時点で、無線チャネルの状態の解析および利用状況のデータベースへの書き込み処理が開始されると、まず、無線基地局２１の格納部３０に格納されている、例えば図８に示す情報の最初のレコードを読み込む（ステップＳ３１）。次いで、読み込まれたレコードに記されているユーザが解析済みであるか否かを判断する（ステップＳ３２）。解析済みである場合には（ステップＳ３２：Ｙｅｓ）、格納部３０に格納されている情報の次のレコードを読み込み（ステップＳ３３）、再びそのレコードに記されているユーザが解析済みであるか否かを判断する（ステップＳ３２）。ステップＳ３１またはステップＳ３３で読み込まれたレコードのユーザが解析済みでない場合（ステップＳ３２：Ｎｏ）、そのユーザが個人情報の参照を許可しているユーザであるか否かを判断する（ステップＳ３４）。個人情報の参照を許可していないユーザである場合（ステップＳ３４：Ｎｏ）、そのユーザの無線チャネルの利用状況を分析し、無線チャネルの状態および方向ごとに、接続の合計時間およびアイドル状態を含む全通信時間に占める割合を求める（ステップＳ３５）。図２０に、ユーザの無線チャネルの利用状況を分析した結果の一例を示す。
【００３９】
図２０は、ユーザの無線チャネルの利用状況を分析した結果の一例を示す説明図である。図２０に示す分析結果は、図８に示す、格納部３０に格納されている情報を分析したものである。
【００４０】
図１９に戻り、例えば図９に示す利用状況のデータベース２８に格納されている情報の中から、無線チャネルの利用状況がその解析結果に合致するか、または最も近いユーザを検索する（ステップＳ３６）。検索の方法として、例えば次のような方法が挙げられる。一例として、図９に示す利用状況のデータベース２８の中から、図２０に示す分析結果のユーザＩＤ０００１のユーザに最も近いユーザを検索する方法を説明する。個人情報を参照可能なユーザ（図９において、参照の可否のフィールドの値が「Ｙｅｓ」であるユーザ）ごとに、次の式に従って通信状態の一致の度合いをそれぞれ計算する。なお、次式において、＃＃＃＃は、ＤＣＨ、Ｅ−ＤＣＨ、ＦＡＣＨ、ＨＳ−ＤＳＣＨおよびアイドルである。
通信状態の一致度＝Σ｛｜［参照可能なユーザの＃＃＃＃（上り）の割合］−［ユーザ０００１の＃＃＃＃（上り）の割合］｜＋｜［参照可能なユーザの＃＃＃＃（下り）の割合］−［ユーザ０００１の＃＃＃＃（下り）の割合］｜｝
【００４１】
この式によれば、参照可能なユーザとユーザ０００１とで無線チャネルの利用状況が近いほど、一致度の値が小さくなる。この式に従って計算すると、ユーザ０００１と参照可能なユーザ０００３との一致度は１８であり、ユーザ０００１と参照可能なユーザ０００４との一致度は３２０である。従って、図９に示す参照可能なユーザ０００３のターゲットの情報をユーザ０００１の情報に適用することができる。ユーザＩＤ０００２のユーザについても同様にして一致度を求めると、ユーザ０００２と参照可能なユーザ０００４との一致度の値が最も小さくなる。従って、ユーザ０００２については、図９に示す参照可能なユーザ０００４のターゲットの情報を適用することができる。なお、検索の方法は、この方法に限らない。
【００４２】
次いで、ステップＳ３５で得られた無線チャネルの利用状況の分析結果と、ステップＳ３６で検索された参照可能なユーザのターゲットの情報とを対応付けて、ステップＳ３５で分析の対象とされたユーザの情報とし、それを利用状況のデータベース２８に書き込む（ステップＳ３７）。図２１に、分析結果を書き込んだ後の利用状況のデータベース２８の一例を示す。
【００４３】
図２１は、分析結果を書き込んだ後の利用状況のデータベースの一例を示す説明図である。図２１に示すように、図９に示す利用状況のデータベース２８に対して、ユーザ０００１およびユーザ０００２が追加されており、それぞれのターゲットの情報は、ユーザ０００３およびユーザ０００４と同じである。
【００４４】
図１９に戻り、配信部２６に、ステップＳ３５で分析の対象とされたユーザに、分析結果を書き込んだ後の利用状況のデータベース２８のターゲットの情報に基づいた広告を配信するように指示する（ステップＳ３８）。図２２に、配信部２６に指示される情報の一例を示す。
【００４５】
図２２は、配信部に指示される情報の一例を示す説明図である。図２２に示すように、配信部２６には、ユーザＩＤおよびターゲットの情報が指示される。ターゲットの情報としては、例えば性別や年齢や嗜好が挙げられる。
【００４６】
図１９に戻り、ステップＳ３４で個人情報の参照を許可しているユーザである場合（ステップＳ３４：Ｙｅｓ）、ステップＳ３５〜ステップＳ３７を行わずに、ステップＳ３８へ進み、配信部２６に広告を配信するように指示する。広告の配信を指示したら、処理中のレコードが格納部３０に格納されている最後のレコードであるか否かを判断する（ステップＳ３９）。最後のレコードでなければ（ステップＳ３９：Ｎｏ）、ステップＳ３３に戻り、ステップＳ３２〜ステップＳ３９を繰り返す。最後のレコードであれば（ステップＳ３９：Ｙｅｓ）、上述した一連の処理を終了する。
【００４７】
・広告のデータベースから広告を検索する処理
図２３は、第５実施例において広告のデータベースから広告を検索する処理を示す説明図であり、図２４は、図２３の続きを示す図である。図２３および図２４に示すように、広告のデータベースから広告を検索する処理が開始されると、まず、広告のデータベース２５から有効期限内の全ての広告の情報を読み込む（ステップＳ４１）。読み込まれた広告の数が１件であるか否かを判断する（ステップＳ４２）。広告の数が１件である場合（ステップＳ４２：Ｙｅｓ）、この検索処理を終了する。広告の数が１件でない場合（ステップＳ４２：Ｎｏ）、対象とするユーザの性別をターゲットとする広告があるか否かを判断する（ステップＳ４３）。該当する性別の広告がない場合（ステップＳ４３：Ｎｏ）、広告の数が１件であるか否かを判断する（ステップＳ４５）。該当する性別の広告がある場合（ステップＳ４３：Ｙｅｓ）、対象とするユーザの性別でない広告を削除し（ステップＳ４４）、残った広告の数が１件であるか否かを判断する（ステップＳ４５）。
【００４８】
広告の数が１件である場合（ステップＳ４５：Ｙｅｓ）、検索処理を終了する。広告の数が１件でない場合（ステップＳ４５：Ｎｏ）、対象とするユーザの年齢をターゲットとする広告があるか否かを判断する（ステップＳ４６）。該当する年齢の広告がある場合（ステップＳ４６：Ｙｅｓ）、広告の数が１件であるか否かを判断する（ステップＳ４８）。該当する年齢の広告がない場合（ステップＳ４６：Ｎｏ）、対象とするユーザの年齢に最も近い広告以外の広告を削除し（ステップＳ４７）、残った広告の数が１件であるか否かを判断する（ステップＳ４８）。
【００４９】
広告の数が１件である場合（ステップＳ４８：Ｙｅｓ）、検索処理を終了する。広告の数が１件でない場合（ステップＳ４８：Ｎｏ）、対象とするユーザの嗜好をターゲットとする広告があるか否かを判断する（ステップＳ４９）。該当する嗜好の広告がない場合（ステップＳ４９：Ｎｏ）、広告の数が１件であるか否かを判断する（ステップＳ５１）。該当する嗜好の広告がある場合（ステップＳ４９：Ｙｅｓ）、対象とするユーザの嗜好に最も近い広告以外の広告を削除し（ステップＳ５０）、残った広告の数が１件であるか否かを判断する（ステップＳ５１）。広告の数が１件である場合（ステップＳ５１：Ｙｅｓ）、検索処理を終了する。広告の数が１件でない場合（ステップＳ５１：Ｎｏ）、配信件数の最も低い広告以外の広告を削除し（ステップＳ５２）、上述した一連の処理を終了する。
【００５０】
この検索処理の終了時に残った広告が配信部２６から無線制御部２３を経由して配信される。図２５に、無線制御部２３に指示される情報の一例を示す。
【００５１】
図２５は、無線制御部に指示される情報の一例を示す説明図である。図２５に示すように、無線制御部２３には、ユーザＩＤ、広告のＩＤおよび広告のデータが指示される。広告のデータは、例えばバイナリデータである。
【００５２】
・広告を表示機器へ配信する動作
図２６は、第５実施例において広告を表示機器へ配信する動作を示す説明図である。図２６に示すように、ステップＳ１１〜ステップＳ１８は、図１７に示す広告を端末へ配信する動作と同じである。ステップＳ１８で、配信部２６により、ターゲットの情報に合致する広告、またはターゲットの情報に最も近い広告を広告のデータベース２５から検索した後、その広告の情報をルータ８１のＬＡＮ制御部８３へ送信する（ステップＳ２１）。次いで、ＬＡＮ制御部８３により、表示機器５１へ広告の情報を送信する（ステップＳ２２）。このようにして、表示機器５１の表示部５２に、端末４１のユーザに適した広告の情報が表示される。図２７に、配信部２６に送信される情報の一例を示す。
【００５３】
図２７は、配信部に送信される情報の一例を示す説明図である。図２７に示すように、配信部２６には、ユーザＩＤおよびターゲットの情報が指示される。ターゲットの情報としては、例えば性別や年齢や嗜好が挙げられる。図２７に示す例において、図２３および図２４に示す処理を行い、各ユーザに対して表示する広告を選択した例を図２８に示す。また、図２８に示す例において、表示機器５１の受信部５３に送信される情報の一例を図２９に示す。
【００５４】
図２８は、各ユーザに対して表示する広告を選択した例を示す説明図である。図２９は、表示機器の受信部に送信される情報の一例を示す説明図である。図２８に示す例では、広告のＩＤが０００Ａである広告データと０００Ｃである広告データが選択されている。図２９に示すように、表示機器５１の受信部５３には、これら二つの広告のＩＤとデータが、優先度によって並べ替えられて、例えばＩＰ接続によるＦＴＰ（Ｆｉｌｅ  Ｔｒａｎｓｆｅｒ  Ｐｒｏｔｏｃｏｌ）転送などにより送信される。優先度は、例えばヒット件数の多い順に高い。図３０に、表示機器５１の表示例を示す。
【００５５】
図３０は、表示機器の表示例を示す説明図である。図３０に示す例では、表示機器５１の表示部５２に、例えば「首都圏のニュース」としてニュースの映像５４が表示されており、その下方に「旅行に行くならＡＡＡツーリストにおまかせ」という広告５５が例えば動画の形態で表示されている。広告が配信される前は、「旅行に行くなら・・・」という広告は表示されない。この例は、例えばユーザの嗜好が旅行である場合に該当する。なお、表示部５２の一部または全体に、例えば動画や静止画や文字で広告が表示されてもよい。また、表示と同時に音声が出力されてもよいし、音声のみで広告の案内がされてもよい。音声による広告の案内がある場合には、表示機器５１はスピーカを有している。
【００５６】
無線基地局２１の配信部２６に図２７に示す情報が配信された時点で、該当するユーザは無線基地局２１と通信中であるか、またはその直前まで無線基地局２１と通信をしていたことになる。つまり、ユーザは、無線基地局２１との間で通信を行うことができる範囲内にいることになる。従って、表示機器５１に広告を表示することによって、該当するユーザに対して、適当な広告を表示することができる。表示または出力すべき広告が複数ある場合には、優先度の高い順に広告を表示または出力したり、広告を表示または出力する時間を優先度の高い順に長くしたりしてもよい。あるいは、広告を表示または出力する頻度を優先度の高い順に多くしてもよい。
【００５７】
・利用状況のデータベースを更新する動作
図３１は、第５実施例において利用状況のデータベースを更新する動作を示す説明図である。図３１に示すように、無線基地局２１の利用状況のデータベース２８から移動体通信事業者の装置６１の利用状況のデータベース６５へ、例えば図２１に示す、分析結果を書き込んだ後の利用状況のデータベース２８の値を送信する（ステップＳ６１）。移動体通信事業者の装置６１の制御部６４により、無線基地局２１の利用状況のデータベース２８の値で上書きされた、移動体通信事業者の装置６１の利用状況のデータベース６５と、例えば図１４に示す加入者のデータベース６６とを比較し（ステップＳ６２）、加入者のデータベース６６のターゲットの情報を用いて利用状況のデータベース６５のターゲットの情報を更新する（ステップＳ６３）。次いで、移動体通信事業者の装置６１の利用状況のデータベース６５から無線基地局２１の利用状況のデータベース２８へ、移動体通信事業者の装置６１の更新された利用状況のデータベース６５の値を送信し、無線基地局２１の利用状況のデータベース２８の値を上書きする（ステップＳ６４）。
【００５８】
・移動体通信事業者の装置において利用状況のデータベースを更新する処理
図３２は、第５実施例において利用状況のデータベースを更新する処理を示す説明図である。図３２に示すように、移動体通信事業者の装置６１において利用状況のデータベース６５を更新する処理が開始されると、まず、移動体通信事業者の装置６１の制御部６４により、加入者のデータベース６６の最初に登録されているユーザの情報を読み込む（ステップＳ７１）。次いで、制御部６４により、読み込まれたユーザが個人情報の参照を許可しているユーザであるか否かを判断する（ステップＳ７２）。個人情報の参照を許可していないユーザである場合（ステップＳ７２：Ｎｏ）、制御部６４により、加入者のデータベース６６に次のユーザの情報が登録されているか否かを判断する（ステップＳ７３）。ユーザの情報が登録されていない場合（ステップＳ７３：Ｎｏ）、処理を終了する。
【００５９】
ユーザの情報が登録されている場合には（ステップＳ７３：Ｙｅｓ）、制御部６４により、次に登録されているユーザの情報を読み込み（ステップＳ７４）、再びそのユーザが個人情報の参照を許可しているか否かを判断する（ステップＳ７２）。ステップＳ７１またはステップＳ７４で読み込まれたユーザが個人情報の参照を許可しているユーザである場合（ステップＳ７２：Ｙｅｓ）、制御部６４により、そのユーザの情報が利用状況のデータベース６５内に存在するか否かを判断する（ステップＳ７５）。該当するユーザの情報が利用状況のデータベース６５内に存在しない場合（ステップＳ７５：Ｎｏ）、ステップＳ７３に戻り、ステップＳ７２〜ステップＳ７５を繰り返す。
【００６０】
該当するユーザの情報が利用状況のデータベース６５内に存在する場合（ステップＳ７５：Ｙｅｓ）、制御部６４により、加入者のデータベース６６に格納されている、該当するユーザのターゲットの情報を用いて利用状況のデータベース６５の該当する情報を更新する（ステップＳ７６）。そして、ステップＳ７３に戻り、加入者のデータベース６６にユーザの情報が登録されていない状態になるまで、ステップＳ７２〜ステップＳ７６を繰り返す。図３３に、更新後の利用状況のデータベース６５の一例を示す。
【００６１】
図３３は、更新後の利用状況のデータベースの一例を示す説明図である。図３３に示す例では、更新された箇所に下線を付して示すように、例えばユーザＩＤが０００２であるユーザの情報が更新されている。例えば図２１に示す、無線基地局２１の利用状況のデータベース２８も、図３３に示す例と同様に更新される。
【００６２】
・広告配信業者の装置から無線基地局へ広告のデータベースを配信する動作
図３４は、第５実施例において広告のデータベースを配信する動作を示す説明図である。図３４に示すように、広告配信業者の装置７１において、付与部７３により、ターゲットの情報が付与されていない広告のデータベース７２に対してターゲットの情報を付与する（ステップＳ８１）。ターゲットの情報としては、例えば性別や年齢や嗜好が挙げられる。ターゲットの情報は、広告の内容などに基づいて広告配信業者により決定される。次いで、広告配信業者の装置７１から無線基地局２１へ、ターゲット情報が付与された広告のデータベース７２の内容を送信し、無線基地局２１の広告のデータベース２５の内容を上書きする（ステップＳ８２）。図３５に、ターゲットの情報が付与されていない広告のデータベース７２の一例を示す。
【００６３】
図３５は、ターゲットの情報が付与されていない広告のデータベースの一例を示す説明図である。ターゲットの情報が付与された広告のデータベースの一例は、図１０に示すとおりである。ただし、図１０に示す例は、無線基地局２１の広告のデータベース２５の例であるが、広告配信業者の装置７１の広告のデータベース７２も同様である。
【００６４】
第５実施例によれば、無線基地局２１が、端末４１によって利用されている無線チャネルの利用状況に応じて端末４１に対して広告の情報を配信するので、無線基地局２１から端末４１のユーザに適した広告の情報を配信することができる。その際、ユーザは、検索サイトで検索のキーワードを入力するなどの特定の動作を行う必要はない。また、無線基地局２１が、端末４１によって利用されている無線チャネルの利用状況に応じて表示機器５１へ広告の情報を配信するので、無線基地局２１から、無線基地局２１の周囲にいる複数のユーザに適した広告の情報を配信することができる。また、無線基地局２１から移動体通信事業者の装置６１へ利用状況のデータベース２８の内容が送信されるので、移動体通信事業者は、利用状況のデータベース２８に格納されている情報を取得することができる。従って、移動体通信事業者は、利用状況のデータベース２８に格納されている情報をマーケティングや新サービスの提供などに活用することができる。また、広告配信業者の装置７１から無線基地局２１へ広告のデータベース７２の内容が送信されるので、広告配信業者は、無線基地局２１の広告のデータベース２５の内容を更新することができる。
【００６５】
（付記１）複数種類の無線チャネルのいずれかを用いて配下の端末と無線通信を行う無線通信部と、
該配下の端末によって利用される無線チャネルの利用状況の分析を行う分析部と、
該分析部における分析結果に応じて該端末に対して配信する情報を制御する制御部と、
を備えたことを特徴とする無線基地局。
【００６６】
（付記２）前記情報を、前記端末のユーザに関する情報と関連付けて格納する第１データベース、
をさらに備えたことを特徴とする付記１に記載の無線基地局。
【００６７】
（付記３）前記端末のユーザに関する情報を、前記無線チャネルの利用状況と関連付けて格納する第２データベース、
をさらに備えたことを特徴とする付記２に記載の無線基地局。
【００６８】
（付記４）前記制御部により制御された前記情報を前記端末へ配信する配信部、
をさらに備えたことを特徴とする付記１に記載の無線基地局。
【００６９】
（付記５）前記配信部により配信される前記情報をネットワークへ出力するインタフェース部、
をさらに備えたことを特徴とする付記４に記載の無線基地局。
【００７０】
（付記６）複数種類の無線チャネルのいずれかを用いて無線基地局と無線通信を行う無線通信部と、
該無線基地局との間で利用される無線チャネルの種類に応じて該無線基地局から配信される情報を出力する出力部と、
を備えたことを特徴とする端末。
【００７１】
（付記７）無線基地局と配下の端末との間で複数種類の無線チャネルのいずれかを用いて無線通信を行う無線通信システムにおいて、
該無線基地局は、該配下の端末によって利用される無線チャネルの利用状況を分析し、該分析結果に応じて該端末に対して情報を配信し、
該端末は、該無線基地局との間で利用される無線チャネルの種類に応じて該無線基地局から配信される情報を出力することを特徴とする無線通信システム。
【００７２】
（付記８）前記無線基地局は、前記無線チャネルの利用状況と前記端末のユーザに関する情報とを関連付けた情報を無線通信事業者へ送信することを特徴とする付記７に記載の無線通信システム。
【００７３】
（付記９）前記無線基地局が有する前記情報を、情報提供者が有する情報で更新することを特徴とする付記７に記載の無線通信システム。
【００７４】
（付記１０）無線基地局と配下の端末との間で複数種類の無線チャネルのいずれかを用いて無線通信を行う無線通信システムにおいて、
該無線基地局は、該配下の端末によって利用される無線チャネルの利用状況を分析し、該分析結果に応じて、不特定の対象に対して情報を報知する報知装置に対して情報を配信し、
該報知装置は、該無線基地局から配信される情報を出力することを特徴とする無線通信システム。
【００７５】
（付記１１）前記無線基地局は、前記無線チャネルの利用状況と前記端末のユーザに関する情報とを関連付けた情報を無線通信事業者へ送信することを特徴とする付記１０に記載の無線通信システム。
【００７６】
（付記１２）前記無線基地局が有する前記情報を、情報提供者が有する情報で更新することを特徴とする付記１０に記載の無線通信システム。
【００７７】
（付記１３）無線基地局と配下の端末との間で複数種類の無線チャネルのいずれかを用いて無線通信を行う無線通信方法において、
該端末によって利用される無線チャネルの利用状況を該無線基地局で分析する第１ステップと、
該第１ステップにおける分析結果に応じて該無線基地局から該端末へ情報を配信する第２ステップと、
該第２ステップで配信された情報を該端末に出力する第３ステップと、
を含むことを特徴とする無線通信方法。
【００７８】
（付記１４）前記無線基地局から無線通信事業者へ、前記無線チャネルの利用状況と前記端末のユーザに関する情報とを関連付けた情報を送信する第４ステップ、
をさらに含むことを特徴とする付記１３に記載の無線通信方法。
【００７９】
（付記１５）前記無線基地局が有する前記情報を、情報提供者が有する情報で更新する第５ステップ、
をさらに含むことを特徴とする付記１３に記載の無線通信方法。
【００８０】
（付記１６）無線基地局と配下の端末との間で複数種類の無線チャネルのいずれかを用いて無線通信を行う無線通信方法において、
該端末によって利用される無線チャネルの利用状況を該無線基地局で分析する第１ステップと、
該無線基地局から、不特定の対象に対して情報を報知する報知装置へ、該第１ステップにおける分析結果に応じて情報を配信する第２ステップと、
該第２ステップで配信された情報を該報知装置に出力する第３ステップと、
を含むことを特徴とする無線通信方法。
【００８１】
（付記１７）前記無線基地局から無線通信事業者へ、前記無線チャネルの利用状況と前記端末のユーザに関する情報とを関連付けた情報を送信する第４ステップ、
をさらに含むことを特徴とする付記１６に記載の無線通信方法。
【００８２】
（付記１８）前記無線基地局が有する前記情報を、情報提供者が有する情報で更新する第５ステップ、
をさらに含むことを特徴とする付記１６に記載の無線通信方法。
【符号の説明】
【００８３】
１，２１  無線基地局
２，４１  端末
３，６  無線通信部
４  分析部
５  制御部
７  出力部
２５  第１データベース
２８  第２データベース
２６  配信部
２２  ＬＡＮインタフェース部
【国際調査報告】
2010079591.tif 000038
2010079591.tif 000039
2010079591.tif 000040
2010079591.tif 000041